(57)【要約】  【構成】  ＮＡＭマイクロフォン１０を、人体の所定部位の体表面上に装着し、そのＮＡＭマイクロフォンに組み込まれるコンデンサマイクロフォンで、調音呼気音（ＮＡＭ）による振動波形(原信号)を取り出す。この原信号をローパスフィルタ処理することによって得た基本信号に基づいてテンプレート信号を作り(Ｓ３)、そのテンプレート信号と基本信号との相互相関関数を計算して出力信号を得る（Ｓ５）。出力信号波形のピーク間間隔時間をＲＲ間隔（代替指標）としてカウントする（Ｓ７）。  【効果】  被験者の所定部位にＮＡＭマイクロフォンを装着するだけで、ＲＲ間隔またはそれの代替指標を取得できる。【選択図】  図５
2007236534.tif 000002
【特許請求の範囲】
【請求項１】
被験者の所定部位の体表面上に、軟弾性材料を介して、装着される機械‐電気変換マイクロフォンを用いてＲＲ間隔指標を取得する方法であって、
前記機械‐電気変換マイクロフォンからの原信号をノイズ除去処理することによって得た基本信号に基づいてテンプレート信号を作るテンプレート信号作成ステップ、
前記テンプレート信号と前記基本信号との相互相関関数を計算して出力信号を得る相互相関関数計算ステップ、および
前記出力信号のピーク間時間間隔をカウントするカウントステップを含む、方法。
【請求項２】
前記テンプレート信号作成ステップは、前記基本信号の所定帯域の帯域平均パワー信号を計算する帯域平均パワー信号計算ステップ、前記帯域平均パワー信号のピークを検出するピーク検出ステップ、前記ピークの前後の予め設定した第１時間幅で前記基本信号を切出す切出しステップ、および切出した基本信号の加算平均を計算する加算平均計算ステップを含み、前記加算平均計算ステップの結果を前記テンプレート信号として利用する、請求項１記載の方法。
【請求項３】
前記テンプレート信号作成ステップは、さらに、前記加算平均をテンプレートとして前記基本信号との相互相関関数を計算して第２出力信号を得る第２相互相関関数計算ステップ、前記第２出力信号のピークを検出する第２ピーク検出ステップ、前記ピークの前後の予め設定した第２時間幅で前記基本信号を切出す第２切出しステップ、および切出した基本信号の加算平均を計算する第２加算平均計算ステップを含み、前記第２加算平均計算ステップの結果を前記テンプレート信号として利用する、請求項２記載の方法。
【請求項４】
被験者の所定部位の体表面上に、軟弾性材料を介して、装着される機械‐電気変換マイクロフォンを用いてＲＲ間隔指標を取得するシステムであって、
前記機械‐電気変換マイクロフォンからの基本信号をノイズ除去処理することによって得た基本信号に基づいてテンプレート信号を作るテンプレート信号作成手段、
前記テンプレート信号と前記基本信号との相互相関関数を計算して出力信号を得る相互相関関数計算手段、および
前記出力信号のピーク間時間間隔をカウントするカウント手段を備える、システム。
【発明の詳細な説明】
【技術分野】
【０００１】
この発明はＲＲ間隔指標を取得する方法およびシステムに関し、特にたとえば、ＮＡＭマイクロフォンを利用して心電図のＲＲ間隔と同等の一過性の変化や呼吸性変動を捉えられる、新規なＲＲ間隔指標を取得する方法およびシステムに関する。
【背景技術】
【０００２】
心臓の拍動は、自律神経によってリズムの調整がなされている。自律神経は、交感神経と副交感神経とからなり、両者は拮抗的に働く。交感神経は、緊張や興奮など何らかのストレス状態になったときに優位となり、反対に副交感神経が優位のときは、心臓の働きは抑制される。したがって、心拍数やＲＲ間隔変動（心拍変動）を測定することにより自律神経の影響、さらにそれを変化させる原因となっている精神的な安定度やストレスの程度などを類推することができる。ただし、ＲＲ間隔とは、心電図の波形で一番大きくスパイク状に出るＲ波と次のＲ波までの間隔のことである。
【０００３】
このようなＲＲ間隔を計測するためには被験者の体に電極を装着して心電図データを取得する方法が一般的であるが、電極を装着することはそれ自体がストレスを与えることになり、ＲＲ間隔からストレスを類推する場合などには不適当である。
【０００４】
電極を装着しないでＲＲ間隔を計測できる方法が、特許文献１に開示されている。
【特許文献１】特開２００１−８９２２号［A61B5/16 5/0402］
【発明の開示】
【発明が解決しようとする課題】
【０００５】
特許文献１の従来技術では、電極装着の必要はないが、被験者を座位において固定する必要があり、たとえば看護師などの動きを伴う作業者のＲＲ間隔計測には不適である。
【０００６】
それゆえに、この発明の主たる目的は、新規な、ＲＲ間隔指標を取得する方法およびシステムを提供することである。
【０００７】
この発明の他の目的は、動きを伴う作業者であっても簡便にＲＲ間隔指標を得ることができる、ＲＲ間隔指標を取得する方法およびシステムを提供することである。
【課題を解決するための手段】
【０００８】
請求項１の発明は、被験者の所定部位の体表面上に、軟弾性材料を介して、装着される機械‐電気変換マイクロフォンを用いてＲＲ間隔指標を取得する方法であって、機械‐電気変換マイクロフォンからの基本信号をノイズ除去処理することによって得た基本信号に基づいてテンプレート信号を作るテンプレート信号作成ステップ、テンプレート信号と基本信号との相互相関関数を計算して出力信号を得る相互相関関数計算ステップ、および出力信号のピーク間時間間隔をカウントするカウントステップを含む、方法である。
【０００９】
請求項１の発明では、たとえばＮＡＭマイクロフォン（１０:実施例で対応する部分またはコンポーネントを示す参照符号。以下、同様。）を用い、機械‐電気変換マイクロフォン（１４）がたとえばソフトシリコーンのような軟弾性材料を介して、被験者の体表面上に装着される。コンデンサマイクロフォンには被験者の筋肉や結合組織などの軟部組織を通して、調音呼気音の振動が伝達される。軟弾性材料の音響インピーダンスは、被験者の軟部組織の音響インピーダンスとほぼ等しいため、被験者の軟部組織から体表面を介して伝導する調音呼気音の反射がなく、調音呼気音がほぼそのまま機械‐電気変換マイクロフォンに到達する。したがって、機械‐電気変換マイクロフォンで効率よく、調音呼気音を電気信号に変換することができる。
【００１０】
この発明は、上記のごとき調音呼気音の波形には、被験者の呼吸音や心臓の拍動に関連した波形変化も重畳されているという、発明者等が実験の過程で発見した知見に基づくものである。
【００１１】
すなわち、この発明では、機械‐電気変換マイクロフォンからの基本信号を、ノイズ除去処理、たとえば１００Ｈｚでローパスフィルタ処理することによって得た基本信号に基づいてテンプレート信号を形成し、そのテンプレート信号と基本信号との相互相関関数を計算する。相互相関関数の計算結果（データ列)には鋭いピークが形成される。発明者等は、そのピーク間間隔がＲＲ間隔の代替指標として利用可能なことを実験によって確認した。
【００１２】
請求項１の発明では、被験者には機械‐電気変換マイクロフォンを軟弾性材料を介して装着するだけでよく、装着の負担は極めて小さくなるので、電極を装着して心電図データからＲＲ間隔を計測する方法に比べて、被験者に余計なストレスを与えたりすることがない。さらに、被験者は機械‐電気変換マイクロフォンを装着した状態でも移動や作業をすることができるので、動きを伴う作業者のヒヤリ・ハットの検出やストレス・緊張の評価にも利用できる。
【００１３】
テンプレート信号は、請求項２あるいは請求項３に記載した発明に従って形成することができる。
【００１４】
具体的には、請求項２の発明は、テンプレート信号作成ステップは、基本信号の所定帯域の帯域平均パワー信号を計算する帯域平均パワー信号計算ステップ、帯域平均パワー信号のピークを検出するピーク検出ステップ、ピークの前後の予め設定した第１時間幅で基本信号を切出す切出しステップ、および切出した基本信号の加算平均を計算する加算平均計算ステップを含み、加算平均計算ステップの結果をテンプレート信号として利用する、請求項１記載の方法である。
【００１５】
請求項２の発明では、１回だけの一連の処理でテンプレート信号を作成するので、テンプレート信号の精度は余りよくないが、計算負荷が小さくて済むという利点がある。これに対して、請求項３の発明では、テンプレート信号の精度をさらに改善することができる。請求項３の発明は、テンプレート信号の精度を改善するために、請求項２の発明で得られた第１テンプレート信号による処理を経て第２テンプレート信号を作成する。
【００１６】
具体的には、請求項３の発明は、テンプレート信号作成ステップは、さらに、加算平均をテンプレートとして基本信号との相互相関関数を計算して第２出力信号を得る第２相互相関関数計算ステップ、第２出力信号のピークを検出する第２ピーク検出ステップ、ピークの前後の予め設定した第２時間幅で基本信号を切出す第２切出しステップ、および切出した基本信号の加算平均を計算する第２加算平均計算ステップを含み、第２加算平均計算ステップの結果をテンプレート信号として利用する、請求項２記載の方法である。
【００１７】
請求項４の発明は、被験者の所定部位の体表面上に、軟弾性材料を介して、装着される機械‐電気変換マイクロフォンを用いてＲＲ間隔指標を取得するシステムであって、機械‐電気変換マイクロフォンからの基本信号をノイズ除去処理することによって得た基本信号に基づいてテンプレート信号を作るテンプレート信号作成手段、テンプレート信号と基本信号との相互相関関数を計算して出力信号を得る相互相関関数計算手段、および出力信号のピーク間時間間隔をカウントするカウント手段を備える、システムである。
【００１８】
請求項４の発明でも、請求項１の発明と同様の効果が期待できる。
【発明の効果】
【００１９】
この発明によれば、被験者の所定部位の体表面上に、軟弾性材料を介して、機械‐電気変換マイクロフォンを装着するだけで、ＲＲ間隔指標を簡便に取得できる。さらに、被験者の所定部位に機械‐電気変換マイクロフォンを装着するだけでよいので、動きを伴う作業者（被験者）であっても、利用可能である。
【００２０】
この発明の上述の目的、その他の目的、特徴および利点は、図面を参照して行う以下の実施例の詳細な説明から一層明らかとなろう。
【発明を実施するための最良の形態】
【００２１】
図１はこの発明の実施例で用いるＮＡＭマイクロフォン１０を被験者に装着した状態を示す図解図である。ただし、この図１の実施例では、この実施例の効果を検証するためだけに必要な心電計の電極３も同時に図示している。つまり、検証のための心電図は、３つの使い捨て電極３を用いて胸部（ＣＭ５）誘導で計測するようにした。
【００２２】
つづいて、図１実施例で用いられるＮＡＭマイクロフォン１０について説明する。ＮＡＭマイクロフォンとは、本件発明者等が、非可聴つぶやき（ＮＡＭ：Non-Audible Murmur）を利用した音声入力インタフェースの実現をめざして開発したものである。ここで、「非可聴つぶやき（ＮＡＭ）」の語は、周囲の人が内容を聴取することが困難な、口の中で自己処理的に行う発話行動を指す、発明者等が提唱した造語である。これを音響学的にいえば、声帯振動を伴わない無声呼気音が発話器官の運動による音響的フィルタ特性変化により調音されて、人体頭部の主に軟部組織を伝導したもの、と定義できる。したがって、ＮＡＭマイクロフォンとは、一般的に表現すれば、声帯の振動を伴わない調音呼気音（ＮＡＭ）の体内伝導を収集するために、体表面に接着または装着するマイクロフォンのことである。発明者等のＮＡＭ採取の実験の過程で、ＮＡＭマイクロフォンを特定部位に装着することによって、被験者の呼吸音や心臓の拍動に関連した波形変化が調音呼気音に重畳されることを確認した。ＮＡＭ採取の観点からは、呼吸音や心臓の拍動に関連した波形変化は除去する必要があるが、一方では、心拍や呼吸情報は人の身体的および／または精神的状態を推定するのに有用な情報である。そこで、この実施例は、ＮＡＭマイクロフォンから得られる調音呼気音に呼吸音や心臓の拍動に関連した波形変化が重畳されるという、確認した事実に基づいて、新規な構成で、ＲＲ間隔の代替指標となる情報を取得しようとするものである。荷物の積み下ろしなどの動きの多いドライバ（運転手）や看護や患者の監視などのため激しい動作をする看護士などの作業場面では、装着の負担が可及的小さいことが要求されるので、このような小型のＮＡＭマイクロフォン１０を装着するだけでよいこの実施例は特に有用である。
【００２３】
ただし、この実施例では上で定義したＮＡＭそのものを利用するのではないので、この実施例で用いるＮＡＭマイクロフォンとしては、体内の音を肉伝導などを介して取り出すことができる任意の構成のマイクロフォンが利用できる。
【００２４】
つづいて、この実施例に好適するＮＡＭマイクロフォンについて、必要な範囲で、図２および図３を参照して説明する。
【００２５】
図２に示すＮＡＭマイクロフォン１０は、軟弾性材料、たとえばソフトシリコーンのような樹脂からなる截頭円錐形（頂部を切り取った形の円錐形）の装着部１２を有し、この装着部１２の截頭部上端面にコンデンサマイクロフォン（Electret Condenser Microphone）１４を接着する。このコンデンサマイクロフォン１４は、よく知られているように、適宜の間隔を隔てた２枚の電極１６を有し、電極間容量の変化で音声振動を検知するものである。つまり、ソフトシリコーンからなる装着部１２が被験者の特定部位の体表面１Ａに接着または装着され、この装着部１２を介して伝播する調音呼気音（それに重畳した呼吸音や心臓の拍動に関連した波形変化も含む）による振動に応じて、２つの電極１６の間の容量が変化するので、その容量変化を電気信号として取り出すことによって、調音呼気音およびそれに重畳している波形の電気信号が得られる。この波形信号（電気信号）が端子１８から取り出される。なお、外部雑音を遮断するために、装着部１２の上方に、コンデンサマイクロフォン１４を囲繞するように、ケース２０が設けられる。このケース２０は金属もしくは樹脂で形成され得る。
【００２６】
図３に示すＮＡＭマイクロフォン１０も、図２のものと同様に、たとえばソフトシリコーンのような軟弾性材料からなる截頭円錐形の装着部１２を有するが、この例では、コンデンサマイクロフォン１４は、図２の例とは異なり、装着部１２の材料中に埋め込まれる。そして、装着部１２が被験者の特定部位の体表面１Ａに接着または装着され、図２の場合と同様に、調音呼気音の波形およびそれに重畳した呼吸音や心臓の拍動に関連した波形の電気信号を端子１８から取り出す。なお、この図３の例でも、外部雑音を遮断するために、装着部１２の上方に、装着部１２を全体的に囲繞するように、金属または樹脂のケース２０が設けられる。図２ではコンデンサマイクロフォン１４が装着部１２から露出しているのに対し、図３のＮＡＭマイクロフォン１０では、コンデンサマイクロフォン１４は装着部１４の軟弾性材料内に完全に埋め込まれている。この構造によれば、コンデンサマイクロフォン１４の裏面や側背部から外部ノイズが浸透する領域と、体表面から伝わる振動音が伝達される領域とを隔離し易く、人体の肉内にコンデンサマイクロフォンを直接埋め込んだと同様の効果が期待できる。
【００２７】
なお、装着部１２の素材としては、実施例では、松風株式会社製の歯科複模型用シリコーン印象剤「デュプリコーン（DUPLICONE: vinyl polysiloxane）」を用いた。
【００２８】
ＮＡＭマイクロフォンについては、発明者等による別の論文に詳しいので、ここでは参考のためにその論文を引用する。
【００２９】
(1) 中島淑貴，柏岡秀紀，キャンベルニック「非可聴つぶやき認識」電子情報通信学会論文誌Ｄ−ＩＩ，Ｖｏｌ．Ｊ８７−Ｄ−ＩＩ,ＮＯ．９，ｐｐ．１７５７−１７６４，２００４
(2) 鹿野清宏，中島淑貴，竹苗浩司，柏岡秀紀，鹿野清宏，キャンベルニック「NAM Interface Communication」情処研報，Ｖｏｌ．２００４,Ｎｏ．７４，ｐｐ．３３−４０，２００４
図１の実施例では、図２または図３に示すＮＡＭマイクロフォン１０を被験者１の所定部位、耳介後下方部に装着する。詳しく説明すると、頭蓋底の耳孔のすぐ後ろに乳様突起と呼ばれる骨の突起がある。これは首の筋肉（胸鎖乳突筋）と頭蓋骨とをつなぐ起始部となる部位である。この乳様突起に振動版の上部が一部かかる位置にＮＡＭマイクロフォン１０を装着する。このように装着することで、固定板が乳様突起という骨の先端に一部かかるので、ＮＡＭマイクロフォン１０がしっかりと当該部位に固定される。ただし、振動板の中心は筋肉の上にある。解剖学的にみると、この筋肉の部分は、調音器官である声道を、上は頭蓋底、左右は下顎骨と頸椎とに挟まれた骨の窓を通して、斜め後ろ側から水平に眺めた形になる。骨などの音響的障害物なしに、筋肉や結合組織などのほぼ同じ音響インピーダンスの軟部組織だけを通して直線的に見渡せる構造となっており、調音器官の共鳴による音響フィルタ特性を捕らえるのに適している。
【００３０】
この実施例では、本来のＮＡＭ採取も兼ねているので、調音器官の共鳴による調音呼気音を効率的にピックアップできる位置にＮＡＭマイクロフォン１０を装着した。しかしながら、もし、ＮＡＭ採取が必要なく、ただ心拍情報だけを取得するためには、上で説明した位置とは異なる位置にＮＡＭマイクロフォン１０を装着するようにしてもよい。たとえば、被験者の胸、手首、臀部下方などが考えられる。
【００３１】
このような部位の体表面１Ａ上に、図２または図３のＮＡＭマイクロフォン１０を取り付けると、装着部１２が軟弾性材料であり、その軟弾性材料の音響インピーダンスは、被験者の上記軟部組織の音響インピーダンスと等しいかほぼ等しいため、その軟部組織から体表面を経て伝導する調音呼気音（それに重畳した呼吸音や心臓の拍動に関連した波形変化も含む）の体表面１Ａと装着部１２との界面での反射が少なく、その調音呼気音による振動がほぼそのままＮＡＭマイクロフォン１０内のコンデンサマイクロフォン１４に到達する。したがって、コンデンサマイクロフォン１４で効率よく、調音呼気音やそれに重畳した呼吸音や心臓の拍動に関連した波形変化を電気信号に変換することができる。
【００３２】
なお、実験では、ＮＡＭマイクロフォン１０を被験者の耳介後下方部に装着するために、カチューシャ(Ｃ字状に丸く曲げて弾力を持たせたプラスチックなどからなるヘアバンド)状の装着具を用いたが、このＮＡＭマイクロフォン１０の装着または接着方法は、外れたりずれたりしなければ、テープで止めるなど任意でよい。
【００３３】
このＮＡＭマイクロフォン１０からの信号は図４に示すように、マイクロフォンアンプ２２によって増幅されて、コンピュータ２４に入力される。つまり、ＮＡＭマイクロフォン１０からのＮＡＭのアナログ信号がＡ／Ｄ変換器２６を介して、ＮＡＭマイクロフォン１０からの基本信号データとしてコンピュータ２４に入力される。
【００３４】
そして、コンピュータ２４は、図５に示すフローチャートに従って、ＲＲ間隔を計測する。最初のステップＳ１では、コンピュータ２４は、Ａ／Ｄ変換器２６から、ＮＡＭマイクロフォン１０の基本信号データを取り込む。この基本信号データは、コンピュータ２４の内部メモリ（図示せず）に順次蓄積される。そして、ステップＳ２において、その原信号データをたとえば１００Ｈｚのローパスフィルタ処理することによって、基本信号データを得る。この基本信号に基づいてステップＳ３でテンプレート信号を作成する。ただし、このステップＳ２は基本的にはノイズ除去処理であり、ローパスフィルタ以外の他のノイズ除去フィルタ、あるいは、特徴抽出フィルタ、さらにはバンドパスフィルタ等の処理であってもよい。
【００３５】
ここで、図６を参照して、ステップＳ３のテンプレート信号作成ステップについ詳細に説明する。
【００３６】
図６の最初のステップＳ１１では、コンピュータ２４は、ＮＡＭマイクロフォン１０からの基本信号の帯域平均パワーを計算する。一例として、たとえば図７に示すような基本信号を、心拍数が含まれる周波数帯域あるいは心音のＩ音かII音の帯域に相当する帯域（実施例では５０−１００Ｈｚ）のバンドパスフィルタ処理し、そのバンドパスフィルタ処理された信号の平均パワーを計算する。その結果である帯域平均パワー波形の一例が図８に示される。
【００３７】
ただし、帯域平均パワーは、たとえばフーリェ変換などの周波数解析から計算するなど、任意の方法で計算されてもよい。また、帯域周波数の上限や下限の周波数、さらには周波数帯域幅も適宜変更可能である。つまり、実施例ではII音を抽出することにして、５０−１００Ｈｚの周波数帯域を用いたが、I音に対応する帯域でもよいし、個人や装着場所によって適応的に周波数帯域を決めればよい。
【００３８】
図８に示すように、帯域平均パワー波形にはパワー値のピークが形成されるので、図６の次のステップＳ１３では、コンピュータ２４は、その帯域平均パワー波形のピークをトリガとして、ピーク毎に、基本信号データを繰り返し抽出する。抽出する時間幅は、一例として、ピークの前のたとえば０．５秒からピークの後のたとえば０．２秒までの０．7秒間とした。抽出時間幅や、抽出開始時間および抽出終了時間なども適宜変更可能であるが、いずれにしても、ピーク毎にピークを含む前後の一定時間幅（第１時間幅）の間、基本信号データが繰り返し抽出され、メモリ（図示せず）内に蓄積される。抽出信号の一例が図９に示される。
【００３９】
図６のステップＳ１５では、コンピュータ２４は、ステップＳ１３で抽出し蓄積しておいた基本信号データの加算平均（第１加算平均）を計算して、テンプレート信号（第１テンプレート信号）を得る。第１テンプレート信号もまた適宜コンピュータ２４内にメモリされる。第１テンプレート信号の一例が図１０に示される。
【００４０】
その後、ステップＳ１７において、コンピュータ２４は、第１テンプレート信号と基本信号との相互相関関数（第１相互相関関数）を計算する。第１相互相関関数波形の一例が図１１に示される。
【００４１】
図１１に示すように、第１相互相関関数波形にはピークが形成されるので、次のステップＳ１９では、コンピュータ２４は、その第１相互相関関数波形のピークをトリガとして、ピーク毎に、基本信号データを繰り返し抽出する。抽出する時間幅は、一例として、ピークの前のたとえば０．３５秒からピークの後のたとえば０．３５秒までの０．７秒間とした。ただし、抽出時間幅や、抽出開始時間および抽出終了時間なども適宜変更可能であるが、いずれにしても、第１相互相関関数波形のピーク毎にピークを含む前後の一定時間幅（第２時間幅）の間、基本信号データが繰り返し抽出され、メモリ内に蓄積される。抽出信号の一例が図１２に示される。
【００４２】
続くステップＳ２１では、コンピュータ２４は、ステップＳ１９で繰り返し抽出した基本信号データの加算平均（第２加算平均）を計算して、テンプレート信号（第２テンプレート信号）を得る。第２テンプレート信号はコンピュータ２４内のメモリに保持される。第２テンプレート信号の一例が図１３に示される。
【００４３】
図５に戻って、この実施例では、図１３に示す第２テンプレート信号をステップＳ５でのテンプレート信号として用いる。すなわち、ステップＳ５では、コンピュータ２４は、ステップＳ３で求めたテンプレート信号、つまり第２テンプレート信号と基本信号との相互相関関数（第２相互相関関数）を計算して出力波形を得る。この第２相互相関関数の波形すなわち出力波形の一例が図１４に示される。図１４から分かるように、テンプレート信号と基本信号との相互相関関数の波形にはピークが形成されるので、図１４の波形をたとえば閾値処理することによってこのピークを検出し、前のピークから次のピークまでの時間をコンピュータ２４でカウントすれば、ピーク間時間間隔を計測することができる。そのピーク間時間間隔がＲＲ間隔に相当する。
【００４４】
比較のために、図１の電極３を使って同じ被験者の心電図（ＥＣＧ）を得て、その心電図からＲＲ間隔を計測した（図１５）が、この図１５に示す正規のＲＲ間隔と、図１４の第２相関関数は形成のピーク間時間間隔とのずれ（誤差）は、図１６に示すように、数（多くても５）ミリ秒以下であることが確認できた。この程度の誤差であれば、被験者の瞬時の心拍変動によるＲＲ間隔の変動も確実に検出できる。したがって、この実施例のように、ＮＡＭマイクロフォン１０からの基本信号に基づいてテンプレート信号を作成し、そのテンプレート信号と基本信号との相互相関関数の波形を得て、ピーク間時間間隔を計測することによって、そのピーク間時間間隔をＲＲ間隔の代替指標として利用することができる。
【００４５】
上述の実施例では、第１テンプレート信号に基づいて第２テンプレート信号を作り、その第２テンプレート信号を使うようにした。その理由は、一定以上のテンプレート信号の精度すなわちＲＲ間隔の精度を確保するためである。したがって、第１テンプレート信号だけでも必要な精度が得られる場合、あるいはそのような用途では、第１テンプレート信号をステップＳ５のテンプレート信号として用いるようにしてもよい。この場合には、当然、図６のステップＳ１７-Ｓ２１までは省略される。したがって、この場合には計算負荷は最小になる。
【００４６】
さらに、実施例ではこのように２回目に得られたテンプレート信号を使うようにしたが、さらに精密にＲＲ間隔を検出する必要があるときには、テンプレート信号の作成回数を３回以上にすればよい。たとえば、図６のステップ２１で作った第２テンプレート信号を用いてステップＳ１７を実行し、ステップＳ１９およびＳ２１を繰り返し実行すれば、結局、最後のステップＳ２１では実施例の第２テンプレート信号の精度がさらに改善された第３テンプレート信号を得ることができる。ただし、この場合には計算負荷が増大する。
【００４７】
要するに、テンプレート信号の精度すなわちＲＲ間隔の精度と計算負荷とはトレードオフの関係にあるので、用途に応じた最適条件を選考すればよい。
【００４８】
さらに、上述の実施例では、全ての計算をコンピュータ２４で行うものとしたが、たとえばＤＳＰ（Digital Signal Processor）などを用いて、たとえば図６の各ステップを個別に計算する専用回路（ハードウェア）を設けることによって、コンピュータ２４の計算負荷を減じるようにしてもよい。
【図面の簡単な説明】
【００４９】
【図１】図１はこの発明の一実施例においてＮＡＭマイクロフォンを装着した状態を、参照のための他のセンサの装着状態とともに示す図解図である。
【図２】図２は図１の実施例に使用するＮＡＭマイクロフォンの一例を示す断面図解図である。
【図３】図３は図１の実施例に使用するＮＡＭマイクロフォンの他の例を示す断面図解図である。
【図４】図４はこの発明の一実施例を示すブロック図である。
【図５】図５は図４の実施例においてＲＲ間隔（またはそれの代替指標）を検出するための動作を示すフロー図である。
【図６】図６は図５のテンプレート信号作成ステップを詳細に示すフロー図である。
【図７】図７はＮＡＭマイクロフォンからの原信号をローパスフィルタ処理することによって得た基本信号を示す波形図である。
【図８】図８は基本信号の帯域平均パワーを示す波形図である。
【図９】図９は帯域平均パワー波形のピークをトリガとして基本信号を繰り返し抽出した重ね書き信号を示す波形図である。
【図１０】図１０は帯域平均パワー波形のピークをトリガとした第１加算平均信号（第１テンプレート信号）を示す波形図である。
【図１１】図１１は第１テンプレート信号と基本信号との相互相関関数（第１相互相関関数）を示す波形図である。
【図１２】図１２は第１相互相関関数波形のピークをトリガとして基本信号を繰り返し抽出した重ね書き信号を示す波形図である。
【図１３】図１３は第１相互相関関数波形のピークをトリガとした第２加算平均信号（第２テンプレート信号）を示す波形図である。
【図１４】図１４は第２テンプレート信号と基本信号との相互相関関数（第２相互相関関数）を示す波形図である。
【図１５】図１５は比較のために採取した心電図を示す波形図である。
【図１６】図１６は実施例で取得したＲＲ間隔（代替指標）と図１５の心電図から取得したＲＲ間隔とのずれ（誤差）を示すグラフである。
【符号の説明】
【００５０】
１０  …ＮＡＭマイクロフォン
１２  …装着部
１４  …コンデンサマイクロフォン
２２  …マイクロフォンアンプ
２４  …コンピュータ
２６  …Ａ／Ｄ変換器
【図１】
2007236534.tif 000003
【図２】
2007236534.tif 000004
【図３】
2007236534.tif 000005
【図４】
2007236534.tif 000006
【図５】
2007236534.tif 000007
【図６】
2007236534.tif 000008
【図７】
2007236534.tif 000009
【図８】
2007236534.tif 000010
【図９】
2007236534.tif 000011
【図１０】
2007236534.tif 000012
【図１１】
2007236534.tif 000013
【図１２】
2007236534.tif 000014
【図１３】
2007236534.tif 000015
【図１４】
2007236534.tif 000016
【図１５】
2007236534.tif 000017
【図１６】
2007236534.tif 000018